【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
少なくとも１つの流体収容レセプタクルを支持するためのレセプタクルホルダであって、
本体であって、
第１の流体収容レセプタクルを受容するように構成されている第１の凹部を画定する電気伝導性部分と、
前記電気伝導性部分に取り付けられた非電気伝導性部分と、を備える、本体と、
前記本体の前記非電気伝導性部分上に配置されており、かつ前記レセプタクルホルダに関する情報を記憶する、ＲＦＩＤトランスポンダと、を備える、レセプタクルホルダ。
【請求項２】
前記第１の凹部内に受容された前記第１の流体収容レセプタクルを更に備える、請求項１に記載のレセプタクルホルダ。
【請求項３】
前記電気伝導性部分が、第２の流体収容レセプタクルを受容するように構成されている第２の凹部を更に画定する、請求項１または２に記載のレセプタクルホルダ。
【請求項４】
前記第１の凹部および前記第２の凹部が、類似の寸法を有する、請求項３に記載のレセプタクルホルダ。
【請求項５】
前記第１の凹部および前記第２の凹部が、異なる寸法を有する、請求項３に記載のレセプタクルホルダ。
【請求項６】
前記第１の凹部が、前記第１の流体収容レセプタクルの形状に適合する、請求項１〜５のいずれか一項に記載のレセプタクルホルダ。
【請求項７】
前記非電気伝導性部分が、凹部を画定し、
前記ＲＦＩＤトランスポンダが、前記非電気伝導性部分によって画定された前記凹部内に完全に配置されている、請求項１〜６のいずれか一項に記載のレセプタクルホルダ。
【請求項８】
前記レセプタクルホルダに関する前記情報が、（ａ）レセプタクル識別子、（ｂ）ホルダ識別子、および（ｃ）前記第１の流体収容レセプタクル内に収容された流体を使用して実施されるプロセスの識別子のうちの少なくとも１つを含む、請求項１〜７のいずれか一項に記載のレセプタクルホルダ。
【請求項９】
前記レセプタクルホルダに関する前記情報が、（ａ）前記レセプタクル識別子、および（ｂ）前記ホルダ識別子のうちの少なくとも１つを含み、
（ａ）前記レセプタクル識別子、および（ｂ）前記ホルダ識別子のうちの前記少なくとも１つが、前記第１の流体収容レセプタクル内に収容された流体を使用して実施される前記プロセスとの既知の関連を有する、請求項８に記載のレセプタクルホルダ。
【請求項１０】
前記電気伝導性部分が、単一の単片である、請求項１〜９のいずれか一項に記載のレセプタクルホルダ。
【請求項１１】
前記非電気伝導性部分が、単一の単片である、請求項１〜１０のいずれか一項に記載のレセプタクルホルダ。
【請求項１２】
前記非電気伝導性部分が、（ａ）前記第１の流体収容レセプタクルの一部分を受容するように構成されており、かつ（ｂ）前記電気伝導性部分の前記第１の凹部と軸方向に整列している、チャネルを画定する、請求項１〜１１のいずれか一項に記載のレセプタクルホルダ。
【請求項１３】
前記非電気伝導性部分が、少なくとも１つの締結具を使用して前記電気伝導性部分に締結されている、請求項１〜１２のいずれか一項に記載のレセプタクルホルダ。
【請求項１４】
前記第１の流体収容レセプタクル内の流体を使用して実施されるプロセスのユーザ提供インジケータを受容するように構成されている表面を更に備える、請求項１〜１３のいずれか一項に記載のレセプタクルホルダ。
【請求項１５】
前記ユーザ提供インジケータを受容するように構成されている前記表面が、乾燥消去書き込み表面を備え、
前記ユーザ提供インジケータが、筆記具からの非永続的なマーキングを備える、請求項１４に記載のレセプタクルホルダ。
【請求項１６】
少なくとも１つの流体収容レセプタクルを支持するためのレセプタクルホルダであって、
本体であって、
第１の流体収容レセプタクルを受容するように構成されている第１の凹部を画定する非電気伝導性部分と、
電気伝導体であって、
前記第１の凹部の一部分に隣接する第１の電気伝導性部分と、
前記第１の電気伝導性部分に電気的に結合されており、かつ前記レセプタクルホルダから分離した電気接地または電圧源に電気的に結合されるように構成されている、第２の電気伝導性部分と、を備える、電気伝導体と、を備える、本体と、
前記非電気伝導性部分上に配置されており、かつ前記レセプタクルホルダに関する情報を記憶する、ＲＦＩＤトランスポンダと、を備える、レセプタクルホルダ。
【請求項１７】
前記第１の電気伝導性部分が、前記第１の流体収容レセプタクルの閉鎖された端部を受容するように構成されている凹部を画定し、前記第１の電気伝導性部分の前記凹部が、前記第１の流体収容レセプタクルの前記閉鎖された端部の形状に適合する、請求項１６に記載のレセプタクルホルダ。
【請求項１８】
前記第２の電気伝導性部分が、前記本体の外部表面を画定する、請求項１６または１７に記載のレセプタクルホルダ。
【請求項１９】
前記外部表面が、前記本体の底部表面を備える、請求項１８に記載のレセプタクルホルダ。
【請求項２０】
前記第１の電気伝導性部分および前記第２の電気伝導性部分が、個別の構成要素である、請求項１６〜１９のいずれか一項に記載のレセプタクルホルダ。
【請求項２１】
前記第１の電気伝導性部分が、前記第２の電気伝導性部分に取り付けられている、請求項２０に記載のレセプタクルホルダ。
【請求項２２】
前記第１の電気伝導性部分および前記第２の電気伝導性部分が、単一の単片を形成する一体的な構成要素である、請求項１６〜１９のいずれか一項に記載のレセプタクルホルダ。
【請求項２３】
前記第１の凹部内に受容された前記第１の流体収容レセプタクルを更に備える、請求項１６〜２２のいずれか一項に記載のレセプタクルホルダ。
【請求項２４】
前記非電気伝導性部分が、第２の流体収容レセプタクルを受容するように構成されている第２の凹部を更に画定する、請求項１６〜２３のいずれか一項に記載のレセプタクルホルダ。
【請求項２５】
前記第１の凹部および前記第２の凹部が、類似の寸法を有する、請求項２４に記載のレセプタクルホルダ。
【請求項２６】
前記第１の凹部および前記第２の凹部が、異なる寸法を有する、請求項２４に記載のレセプタクルホルダ。
【請求項２７】
前記非電気伝導性部分が、凹部を画定し、
前記ＲＦＩＤトランスポンダが、前記非電気伝導性部分によって画定された前記凹部内に完全に配置されている、請求項１６〜２６のいずれか一項に記載のレセプタクルホルダ。
【請求項２８】
前記レセプタクルホルダに関する前記情報が、（ａ）レセプタクル識別子、（ｂ）ホルダ識別子、および（ｃ）前記第１の流体収容レセプタクル内に収容された流体を使用して実施されるプロセスの識別子のうちの少なくとも１つを含む、請求項１６〜２７のいずれか一項に記載のレセプタクルホルダ。
【請求項２９】
レセプタクルホルダに関する前記情報が、（ａ）前記レセプタクル識別子、および（ｂ）前記ホルダ識別子のうちの少なくとも１つを含み、
（ａ）前記レセプタクル識別子、および（ｂ）前記ホルダ識別子のうちの前記少なくとも１つが、前記第１の流体収容レセプタクル内に収容された流体を使用して実施される前記プロセスとの既知の関連を有する、請求項２８に記載のレセプタクルホルダ。
【請求項３０】
前記非電気伝導性部分が、単一の単片である、請求項１６〜２９のいずれか一項に記載のレセプタクルホルダ。
【請求項３１】
前記第１の流体収容レセプタクル内の流体を使用して実施されるプロセスのユーザ提供インジケータを受容するように構成されている表面を更に備える、請求項１６〜３０のいずれか一項に記載のレセプタクルホルダ。
【請求項３２】
前記ユーザ提供インジケータを受容するように構成されている前記表面が、乾燥消去書き込み表面を備え、
前記ユーザ提供インジケータが、筆記具からの非永続的なマーキングを備える、請求項３１に記載のレセプタクルホルダ。
【手続補正２】
【補正対象書類名】明細書
【補正対象項目名】００４３
【補正方法】変更
【補正の内容】
【００４３】
実施形態の更なる特徴および効果、ならびには様々な実施形態の構造および動作は、添付図面を参照して以下に詳細に説明される。なお、本発明は、本明細書に記載される特定の実施形態に限定されない。そのような実施形態は、図解の目的のためにのみ本明細書に提示される。追加の実施形態は、本明細書に包含される教示に基づいて、当業者（複数可）にとって明らかであろう。
本発明は、例えば、以下を提供する。
（項目１）
少なくとも１つの流体収容レセプタクルを支持するためのレセプタクルホルダであって、
本体であって、
第１の流体収容レセプタクルを受容するように構成されている第１の凹部を画定する電気伝導性部分と、
前記電気伝導性部分に取り付けられた非電気伝導性部分と、を備える、本体と、
前記本体の前記非電気伝導性部分上に配置されており、かつ前記レセプタクルホルダに関する情報を記憶する、ＲＦＩＤトランスポンダと、を備える、レセプタクルホルダ。
（項目２）
前記第１の凹部内に受容された前記第１の流体収容レセプタクルを更に備える、項目１に記載のレセプタクルホルダ。
（項目３）
前記電気伝導性部分が、第２の流体収容レセプタクルを受容するように構成されている第２の凹部を更に画定する、項目１または２に記載のレセプタクルホルダ。
（項目４）
前記第１の凹部および前記第２の凹部が、類似の寸法を有する、項目３に記載のレセプタクルホルダ。
（項目５）
前記第１の凹部および前記第２の凹部が、異なる寸法を有する、項目３に記載のレセプタクルホルダ。
（項目６）
前記第１の凹部が、前記第１の流体収容レセプタクルの形状に適合する、項目１〜５のいずれか一項に記載のレセプタクルホルダ。
（項目７）
前記非電気伝導性部分が、凹部を画定し、
前記ＲＦＩＤトランスポンダが、前記非電気伝導性部分によって画定された前記凹部内に完全に配置されている、項目１〜６のいずれか一項に記載のレセプタクルホルダ。
（項目８）
前記レセプタクルホルダに関する前記情報が、（ａ）レセプタクル識別子、（ｂ）ホルダ識別子、および（ｃ）前記第１の流体収容レセプタクル内に収容された流体を使用して実施されるプロセスの識別子のうちの少なくとも１つを含む、項目１〜７のいずれか一項に記載のレセプタクルホルダ。
（項目９）
前記レセプタクルホルダに関する前記情報が、（ａ）前記レセプタクル識別子、および（ｂ）前記ホルダ識別子のうちの少なくとも１つを含み、
（ａ）前記レセプタクル識別子、および（ｂ）前記ホルダ識別子のうちの前記少なくとも１つが、前記第１の流体収容レセプタクル内に収容された流体を使用して実施される前記プロセスとの既知の関連を有する、項目８に記載のレセプタクルホルダ。
（項目１０）
前記電気伝導性部分が、単一の単片である、項目１〜９のいずれか一項に記載のレセプタクルホルダ。
（項目１１）
前記非電気伝導性部分が、単一の単片である、項目１〜１０のいずれか一項に記載のレセプタクルホルダ。
（項目１２）
前記非電気伝導性部分が、（ａ）前記第１の流体収容レセプタクルの一部分を受容するように構成されており、かつ（ｂ）前記電気伝導性部分の前記第１の凹部と軸方向に整列している、チャネルを画定する、項目１〜１１のいずれか一項に記載のレセプタクルホルダ。
（項目１３）
前記非電気伝導性部分が、少なくとも１つの締結具を使用して前記電気伝導性部分に締結されている、項目１〜１２のいずれか一項に記載のレセプタクルホルダ。
（項目１４）
前記第１の流体収容レセプタクル内の流体を使用して実施されるプロセスのユーザ提供インジケータを受容するように構成されている表面を更に備える、項目１〜１３のいずれか一項に記載のレセプタクルホルダ。
（項目１５）
前記ユーザ提供インジケータを受容するように構成されている前記表面が、乾燥消去書き込み表面を備え、
前記ユーザ提供インジケータが、筆記具からの非永続的なマーキングを備える、項目１４に記載のレセプタクルホルダ。
（項目１６）
少なくとも１つの流体収容レセプタクルを支持するためのレセプタクルホルダであって、
本体であって、
第１の流体収容レセプタクルを受容するように構成されている第１の凹部を画定する非電気伝導性部分と、
電気伝導体であって、
前記第１の凹部の一部分に隣接する第１の電気伝導性部分と、
前記第１の電気伝導性部分に電気的に結合されており、かつ前記レセプタクルホルダから分離した電気接地または電圧源に電気的に結合されるように構成されている、第２の電気伝導性部分と、を備える、電気伝導体と、を備える、本体と、
前記非電気伝導性部分上に配置されており、かつ前記レセプタクルホルダに関する情報を記憶する、ＲＦＩＤトランスポンダと、を備える、レセプタクルホルダ。
（項目１７）
前記第１の電気伝導性部分が、前記第１の流体収容レセプタクルの閉鎖された端部を受容するように構成されている凹部を画定し、前記第１の電気伝導性部分の前記凹部が、前記第１の流体収容レセプタクルの前記閉鎖された端部の形状に適合する、項目１６に記載のレセプタクルホルダ。
（項目１８）
前記第２の電気伝導性部分が、前記本体の外部表面を画定する、項目１６または１７に記載のレセプタクルホルダ。
（項目１９）
前記外部表面が、前記本体の底部表面を備える、項目１８に記載のレセプタクルホルダ。
（項目２０）
前記第１の電気伝導性部分および前記第２の電気伝導性部分が、個別の構成要素である、項目１６〜１９のいずれか一項に記載のレセプタクルホルダ。
（項目２１）
前記第１の電気伝導性部分が、前記第２の電気伝導性部分に取り付けられている、項目２０に記載のレセプタクルホルダ。
（項目２２）
前記第１の電気伝導性部分および前記第２の電気伝導性部分が、単一の単片を形成する一体的な構成要素である、項目１６〜１９のいずれか一項に記載のレセプタクルホルダ。
（項目２３）
前記第１の凹部内に受容された前記第１の流体収容レセプタクルを更に備える、項目１６〜２２のいずれか一項に記載のレセプタクルホルダ。
（項目２４）
前記非電気伝導性部分が、第２の流体収容レセプタクルを受容するように構成されている第２の凹部を更に画定する、項目１６〜２３のいずれか一項に記載のレセプタクルホルダ。
（項目２５）
前記第１の凹部および前記第２の凹部が、類似の寸法を有する、項目２４に記載のレセプタクルホルダ。
（項目２６）
前記第１の凹部および前記第２の凹部が、異なる寸法を有する、項目２４に記載のレセプタクル。
（項目２７）
前記非電気伝導性部分が、凹部を画定し、
前記ＲＦＩＤトランスポンダが、前記非電気伝導性部分によって画定された前記凹部内に完全に配置されている、項目１６〜２６のいずれか一項に記載のレセプタクルホルダ。
（項目２８）
前記レセプタクルホルダに関する前記情報が、（ａ）レセプタクル識別子、（ｂ）ホルダ識別子、および（ｃ）前記第１の流体収容レセプタクル内に収容された流体を使用して実施されるプロセスの識別子のうちの少なくとも１つを含む、項目１６〜２７のいずれか一項に記載のレセプタクルホルダ。
（項目２９）
レセプタクルホルダに関する前記情報が、（ａ）前記レセプタクル識別子、および（ｂ）前記ホルダ識別子のうちの少なくとも１つを含み、
（ａ）前記レセプタクル識別子、および（ｂ）前記ホルダ識別子のうちの前記少なくとも１つが、前記第１の流体収容レセプタクル内に収容された流体を使用して実施される前記プロセスとの既知の関連を有する、項目２８に記載のレセプタクルホルダ。
（項目３０）
前記非電気伝導性部分が、単一の単片である、項目１６〜２９のいずれか一項に記載のレセプタクルホルダ。
（項目３１）
前記第１の流体収容レセプタクル内の流体を使用して実施されるプロセスのユーザ提供インジケータを受容するように構成されている表面を更に備える、項目１６〜３０のいずれか一項に記載のレセプタクルホルダ。
（項目３２）
前記ユーザ提供インジケータを受容するように構成されている前記表面が、乾燥消去書き込み表面を備え、
前記ユーザ提供インジケータが、筆記具からの非永続的なマーキングを備える、項目３１に記載のレセプタクルホルダ。
（項目３３）
流体取り扱いのための方法であって、
ＲＦＩＤリーダを使用して、第１のレセプタクルホルダに関する情報を読み取る工程であって、前記第１のレセプタクルホルダに関する前記情報が、第１の流体収容レセプタクルを支持する前記第１のレセプタクルホルダの第１の本体上に配置された第１のＲＦＩＤトランスポンダから送信されている、前記情報を読み取る工程と、
前記ＲＦＩＤリーダによって読み取られた前記第１のレセプタクルホルダに関する前記情報に基づいて、ロボット流体移送デバイスを前記第１の流体収容レセプタクルと整列させる工程と、
前記ロボット流体移送デバイスの電気伝導性プローブと、前記第１の流体収容レセプタクル内に収容された流体に容量結合された電気接地または電圧源との間の静電容量の変化を検出して、いつ前記プローブが、前記第１の流体収容レセプタクル内に収容された前記流体に接触したかを判定する工程と、
前記ロボット流体移送デバイスを使用して、前記第１の流体収容レセプタクル内に収容された前記流体の一部分を吸引する工程と、を含む、方法。
（項目３４）
前記流体移送デバイスを使用して、前記流体の吸引された部分を第２のレセプタクル内に分配することを更に含む、項目３３に記載の方法。
（項目３５）
前記ＲＦＩＤリーダを使用して、第２のレセプタクルホルダに関する情報を読み取ることであって、前記第２のレセプタクルホルダに関する前記情報が、第２の流体収容レセプタクルを支持する前記第２のレセプタクルホルダの第２の本体上に配置された第２のＲＦＩＤトランスポンダから送信されている、前記情報を読み取ることと、
前記ＲＦＩＤリーダによって読み取られた前記第２のレセプタクルホルダに関する前記情報に基づいて、前記ロボット流体移送デバイスを前記第２の流体収容レセプタクルと整列させることと、
前記ロボット流体移送デバイスの前記電気伝導性プローブと、前記第２の流体収容レセプタクル内に収容された流体に容量結合された前記電気接地または電圧源との間の静電容量の変化を検出して、いつ前記プローブが、前記第２の流体収容レセプタクル内に収容された前記流体に到達したのかを判定することと、
前記ロボット流体移送デバイスを使用して、前記第２の流体収容レセプタクル内に収容された前記流体の一部分を吸引することと、を更に含む、項目３３または３４に記載の方法。
（項目３６）
前記流体移送デバイスを使用して、前記流体の吸引された部分を前記第２の流体収容レセプタクルから第２のレセプタクル内に分配することを更に含む、項目３５に記載の方法。
（項目３７）
前記第２のレセプタクルホルダが、項目１〜３２に記載の前記レセプタクルホルダのいずれか１つである、項目３５または３６に記載の方法。
（項目３８）
前記第１のレセプタクルホルダが、項目１〜３２に記載の前記レセプタクルホルダのいずれか１つである、項目３３〜３７のいずれか一項に記載の方法。
（項目３９）
サンプル処理の方法であって、
サンプル処理器具のユーザインターフェースにおいて、ユーザが、前記サンプル処理器具内の第１のレセプタクルホルダ上に配置された第１のＲＦＩＤトランスポンダから送信された第１の情報に基づいて、少なくとも１つの第１のユーザ入力を入力することを促す工程であって、前記少なくとも１つの第１のユーザ入力が、前記第１のレセプタクルホルダに関する第２の情報を示す、促す工程と、
前記サンプル処理器具の前記ユーザインターフェースにおいて、前記少なくとも１つの第１のユーザ入力を受信する工程と、
前記サンプル処理器具を使用して、前記少なくとも１つの第１のユーザ入力に基づいて、少なくとも１つの第１のサンプルを処理する工程と、を含む、方法。
（項目４０）
前記ユーザインターフェース上に、前記第１のレセプタクルホルダが前記サンプル処理器具内に存在するか否かの指標を表示する工程を更に含む、項目３９に記載の方法。
（項目４１）
前記第２の情報が、第１の流体収容レセプタクルが前記第１のレセプタクルホルダ内に配置されているかどうかの指標を含む、項目３９または４０に記載の方法。
（項目４２）
前記第２の情報が、前記第１の流体収容レセプタクル内に収容された流体を使用して実施される第１のアッセイの指標を更に含み、
前記処理工程が、前記少なくとも１つの第１のサンプルに前記第１のアッセイを実施することを含む、項目４１に記載の方法。
（項目４３）
前記第２の情報が、前記第１の流体収容レセプタクル内に収容された前記流体を使用して実施することができる第１のアッセイの最大数を更に含む、項目４２に記載の方法。
（項目４４）
前記ユーザインターフェース上に、前記第１の流体収容レセプタクルが前記第１のレセプタクルホルダ上に配置されているという指標を表示する工程を更に含む、項目４１〜４３のいずれか一項に記載の方法。
（項目４５）
前記第２の情報が、第２の流体収容レセプタクルが前記第１のレセプタクルホルダ内に配置されているかどうかの指標を含む、項目３９〜４４のいずれか一項に記載の方法。
（項目４６）
前記第２の情報が、前記第２の流体収容レセプタクル内に収容された流体を使用して実施される第２のアッセイの指標を更に含み、
前記処理工程が、前記少なくとも１つの第１のサンプルに前記第２のアッセイを実施することを更に含む、項目４５に記載の方法。
（項目４７）
前記第２の情報が、前記第２の流体収容レセプタクル内に収容された前記流体を使用して実施することができる第２のアッセイの最大数を更に含む、項目４６に記載の方法。
（項目４８）
前記ユーザインターフェース上に、前記第２の流体収容レセプタクルが前記第１のレセプタクルホルダ上に配置されているという指標を表示する工程を更に含む、項目４５〜４７のいずれか一項に記載の方法。
（項目４９）
前記少なくとも１つの第１のユーザ入力が、前記ユーザインターフェース上に表示されたオプションのメニューからの選択を含む、項目３９〜４８のいずれか一項に記載の方法。
（項目５０）
前記少なくとも１つの第１のユーザ入力が、ユーザ入力される英数字テキストを含む、項目３９〜４９のいずれか一項に記載の方法。
（項目５１）
前記第１の流体収容レセプタクル内の前記流体が、核酸増幅のためのプライマーおよび特定の分析物の検出のためのプローブを含む、再構成用緩衝液を含む、項目３９〜５０のいずれか一項に記載の方法。
（項目５２）
前記第１のユーザ入力を受信する工程は、ユーザが、前記第１の流体収容レセプタクル内に収容された流体を使用して実施される前記アッセイの前記第１のレセプタクルホルダ上でユーザ提供インジケータを視覚的に参照した後に行われる、項目３９〜５１のいずれか一項に記載の方法。
（項目５３）
前記サンプル処理器具の前記ユーザインターフェースにおいて、前記ユーザが、前記サンプル処理器具内の第２のレセプタクルホルダ上に配置された第２のＲＦＩＤトランスポンダから送信された第３の情報に基づいて、少なくとも１つの第２のユーザ入力を入力することを促す工程であって、前記少なくとも１つの第２のユーザ入力が、前記第２のレセプタクルホルダに関する第４の情報を示す、促す工程と、
前記サンプル処理器具の前記ユーザインターフェースにおいて、前記少なくとも１つの第２のユーザ入力を受信する工程と、
前記サンプル処理器具を使用して、前記少なくとも１つの第２のユーザ入力に基づいて、少なくとも１つの第２のサンプルを処理する工程と、を更に含む、項目３９〜５２のいずれか一項に記載の方法。
（項目５４）
前記ユーザインターフェース上に、前記第２のレセプタクルホルダが前記サンプル処理器具内に存在するか否かの指標を表示する工程を更に含む、項目５３に記載の方法。
（項目５５）
前記第４の情報が、第３の流体収容レセプタクルが前記第２のレセプタクルホルダ内に配置されているかどうかの指標を含む、項目５３または５４に記載の方法。
（項目５６）
前記第４の情報が、前記第３の流体収容レセプタクル内に収容された流体を使用して実施される第３のアッセイの指標を更に含み、
前記処理工程が、前記少なくとも１つの第２のサンプルに前記第３のアッセイを実施することを含む、項目５５に記載の方法。
（項目５７）
前記第４の情報が、前記第３の流体収容レセプタクル内に収容された前記流体を使用して実施することができる第３のアッセイの最大数を更に含む、項目５６に記載の方法。
（項目５８）
前記ユーザインターフェース上に、前記第３の流体収容レセプタクルが前記第２のレセプタクルホルダ上に配置されているという指標を表示する工程を更に含む、項目５３〜５７のいずれか一項に記載の方法。
（項目５９）
前記第４の情報が、第４の流体収容レセプタクルが前記第２のレセプタクルホルダ内に配置されているかどうかの指標を含む、項目５３〜５８のいずれか一項に記載の方法。
（項目６０）
前記第４の情報が、前記第４の流体収容レセプタクル内に収容された流体を使用して実施される第４のアッセイの指標を更に含み、
前記処理工程が、前記少なくとも１つの第２のサンプルに前記第４のアッセイを実施することを更に含む、項目５９に記載の方法。
（項目６１）
前記第４の情報が、前記第４の流体収容レセプタクル内に収容された前記流体を使用して実施することができる第４のアッセイの最大数を更に含む、項目６０に記載の方法。
（項目６２）
前記ユーザインターフェース上に、前記第４の流体収容が前記第２のレセプタクルホルダ上に配置されているという指標を表示する工程を更に含む、項目５９〜６１のいずれか一項に記載の方法。
（項目６３）
前記少なくとも１つの第２のユーザ入力が、前記ユーザインターフェース上に表示されたオプションのメニューからの選択を含む、項目５３〜６２のいずれか一項に記載の方法。
（項目６４）
前記少なくとも１つの第２のユーザ入力が、ユーザ入力される英数字テキストを含む、項目５３〜６３のいずれか一項に記載の方法。
（項目６５）
前記第３の流体収容レセプタクル内の前記流体が、核酸増幅のためのプライマーおよび特定の分析物の検出のためのプローブを含む、再構成用緩衝液を含む、項目５３〜６４のいずれか一項に記載の方法。
（項目６６）
前記ユーザが、前記第２のレセプタクルホルダ上でユーザ提供インジケータを視覚的に参照した後、前記少なくとも１つの第２のユーザ入力を受信する工程が行われる、項目５３〜６５のいずれか一項に記載の方法。